(57)【要約】【課題】既設屋根の維持管理労力を低減し、簡便に屋上緑化を可能とすること。【解決手段】  スレートまたは金属板により形成された既設の屋根にゴムコーティングを施し、さらにこのゴムコーティング層１の上にコケないしコケの胞子を含んだ緑化層２を形成することを特徴とする緑化工法である。荷重強度も安全率をもって確保された骨組みが採用された工場等の既設屋根に対して保護層ともなりコケを生育させる下地層ともなるゴムコーティング層１が設けられ、簡便に屋上緑化を実現できる。コケはスナゴケを用いることができる。【選択図】図１
2011092114.tif 000002
【特許請求の範囲】
【請求項１】
スレートまたは金属板により形成された既設の屋根にゴムコーティングを施し、さらにこのゴムコーティング層の上にコケないしコケの胞子を含んだ緑化層を形成することを特徴とする緑化工法。
【請求項２】
ゴムコーティング層および／または緑化層の形成は吹き付け処理または貼り付け処理によることを特徴とする請求項１に記載の緑化工法。
【請求項３】
ゴムコーティング層は、少なくとも３０年間メンテナンスが不要な耐候性を有する厚みとしたことを特徴とする請求項１または２に記載の緑化工法。
【請求項４】
緑化層は、ゴムコーティング層に対して接着性があり、かつ、保水性および耐候性を有することを特徴とする請求項１、２または３に記載の緑化工法。
【請求項５】
スナゴケを用いることを特徴とする請求項１〜４のいずれか一つに記載の緑化工法。
【発明の詳細な説明】
【技術分野】
【０００１】
本発明は、いわゆる緑化工法に関し、特に、既設の屋根を温存可能とするとともにいわゆる屋上緑化も可能とする緑化工法に関する。
【背景技術】
【０００２】
従来、図４に示したように工場等のスレート屋根や金属板屋根を屋上緑化する場合、屋根に軽量鉄骨下地等を組み付け、この下地に基盤材を取付け、そして、基盤材の上に緑化材を植える等していた。
【０００３】
これにより、二重屋根構造となるため、設計の自由度が高まり、スレート屋根や金属板の断面が折れ板形状であっても波形状であっても適用でき、汎用性の高い施工が可能である（なお、既存屋根の上に設けられる緑化層は屋根ではないが、以降では概念的に屋根ととらえて説明する）。
【０００４】
しかしながら、従来の技術では以下の問題点があった。
二重屋根にすると既設屋根が風に曝されにくく寿命が延びるように思えるが、実際には屋外曝露されたままであって、上の屋根の緑化に基づく湿度の影響により、かえって環境が劣悪となり、傷み、たとえば、腐食が進行しやすくなるという問題点があった。従って、通常よりも短いサイクルでペンキの塗り直し作業などが必要となるが、上に新設の屋根が設けられていて作業性が悪く、既設屋根の維持管理を怠りがちになるという悪循環を招来し、寿命を短縮してしまうという問題点があった。
【０００５】
また、新設屋根の下地は既設屋根から組み上げるので、接触部分が腐食しやすく、既設屋根はそのような下地を受けるように設計されていないので、予期しない劣化が生じてしまう可能性も懸念される。
【先行技術文献】
【特許文献】
【０００６】
【特許文献１】特開２００６−１２２００７
【特許文献２】特開２００６−００６２９２
【特許文献３】特開２００６−１５８３０３
【発明の概要】
【発明が解決しようとする課題】
【０００７】
本発明は上記に鑑みてなされたものであって、既設屋根の維持管理労力を低減し、簡便に屋上緑化できる工法を提供することを目的とする。
【課題を解決するための手段】
【０００８】
請求項１に記載の緑化工法は、スレートまたは金属板により形成された既設の屋根にゴムコーティングを施し、さらにこのゴムコーティング層の上にコケないしコケの胞子を含んだ緑化層を形成することを特徴とする。
【０００９】
すなわち、請求項１にかかる発明は、荷重強度も安全率をもって確保された骨組みが採用された工場等の既設屋根に対して保護層ともなりコケを生育させる下地層ともなるゴムコーティング層を設け、簡便に屋上緑化を実現できる。なお、本願ではゴムとは、弾力性を有する高分子を意味し合成樹脂なども含まれるものとする。
【００１０】
請求項２に記載の緑化工法は、請求項１に記載の緑化工法において、ゴムコーティング層および／または緑化層の形成は吹き付け処理または貼り付け処理によることを特徴とする請求項１に記載の緑化工法。
ことを特徴とする。
【００１１】
すなわち、請求項２にかかる発明は、作業性がよく、短期間の施工が可能となる。特に工場等の面積の広い屋根は、いかに操業に影響を与えないかが重要であるため工場等の屋上緑化に好適である。貼り付ける場合のゴムシートの大きさは、たとえば、５０ｃｍ×１００ｃｍとすることができる。
【００１２】
請求項３に記載の緑化工法は、請求項１または２に記載の緑化工法において、ゴムコーティング層は、少なくとも３０年間メンテナンスが不要な耐候性を有する厚みとしたことを特徴とする。
【００１３】
すなわち、請求項３にかかる発明は、素材と厚みによって簡易な維持管理を実現する。なお、ゴムコーティング層の厚みとしては２ｍｍ〜７ｍｍ、好ましくは４ｍｍ〜５ｍｍとすることができる。１ｍｍ未満では、紫外線による劣化の可能性が残存し、７ｍｍ以上では材料費がかさむため、上述の範囲が好ましい。なお、シート材を既設屋根に貼り付ける場合には、一層敷きでなく、継ぎ目が隠れるように二層敷きにする態様であっても良い。
【００１４】
請求項４に記載の緑化工法は、請求項１、２または３に記載の緑化工法において、緑化層は、ゴムコーティング層に対して接着性があり、かつ、保水性および耐候性を有することを特徴とする。
【００１５】
すなわち、請求項４にかかる発明は、コケの持続的な生育を実現する。なお、使用の態様によっては、ゴムコーティング層から緑化層は連続的に変質させるようにしても良い。
【００１６】
請求項５に記載の緑化工法は、請求項１〜４のいずれか一つに記載の緑化工法において、スナゴケを用いることを特徴とする。
【００１７】
すなわち、請求項５にかかる発明は、乾燥時には休眠し枯れにくく環境適応性の高いコケにより、永続的な生育を実現する。
【発明の効果】
【００１８】
本発明によれば、既設屋根の維持管理労力を低減し、簡便に屋上緑化が可能となる。
【図面の簡単な説明】
【００１９】
【図１】本発明を適用した折板屋根の断面図である。
【図２】本工法を含めた施工方法の流れを示したフローチャートである。
【図３】瓦棒葺き屋根やスレート葺き屋根に本発明を適用した例を示した図である。
【図４】従来の二重屋根による緑化工法を示した模式図である。
【発明を実施するための形態】
【００２０】
以下、本発明の実施の形態を図面を参照しながら詳細に説明する。図１は、本発明を適用した折板屋根の断面図である。なお、以降の図では説明の便宜上縮尺は必ずしも実物とは一致しない。
【００２１】
図示したように、折板屋根の表面にゴム材を吹き付けまたは貼り付けて既設屋根の皮膜（保護膜）となるゴムコーティング層１を形成し、その上からスナゴケを含む緑化材を吹き付けて緑化層２を形成する。
【００２２】
ゴム材は、特に限定されないが、施工性を高めるため、吹き付けによる場合には吹き付けた後に流動しない性状であることが好ましく、貼り付けによる場合にはゴムシートに折板屋根と接着性のよい接着剤を用いて貼り付けるようにする。これにより、折板屋根に別途鉄骨下地等を組み付ける必要がなく施工費および施工期間が短縮される。
【００２３】
なお、ゴム材は必要に応じて発砲し、内部に独立気泡を形成する素材であってもよい。これにより、荷重付加を低減するとともに断熱性も高まり、原料削減も可能となる。
【００２４】
ゴムコーティング層１の厚みは５ｍｍ目安とする。この厚みであれば、屋外暴露されても３０年は劣化せず、緑化層２が剥がれ紫外線等による収縮・ひび割れなどが発生したとしても、その裂け目が既設屋根まで達することはなく、既設屋根のメンテナンスが不要となる。
【００２５】
緑化材は、ゴムコーティング層１に対して接着性が高く、このほか、保水性、耐乾燥性、耐水性に優れた素材であれば特に限定されない。場合により、ゴムコーティング層１の表面に凹凸ないし溝を設け緑化材との係合力を高めるようにしても良い。また、ゴムコーティング層１に凸条を設け、この凸条に部分的に孔をあけて隣の区との間でコケの根が交差するようにして係合力を高めるようにしても良い。
【００２６】
また、緑化材にはスナゴケそのものまたはスナゴケの胞子を含ませる。スナゴケは根の部分は保水力があり、また乾燥時には休眠状態に移行して枯れにくく、雨が降れば再び活性化するので好適である。
【００２７】
図２は、本工法を含めた施工方法の流れを示したフローチャートである。まず、作業をするための足場を組む（ステップＳ１）。足場は、極力既存屋根に干渉しないようにする。すなわち、既存屋根に接触する部分が少なくなるようにする。
【００２８】
つづいて緑化対象となる屋根を清掃する（ステップＳ２）。これにより砂や埃が取り除かれる。次に、屋根を補修する（ステップＳ３）。これは、既設の屋根の施工後の維持管理を極力低減するためにおこなう。たとえば、さびているところは補修をし防錆ペンキを塗る作業が含まれる。
【００２９】
次に、折板屋根に向けてゴム材を吹き付けまたは貼り付けゴムコーティング層１を形成する（ステップＳ４）。ゴム層は折板屋根に沿って総じて５ｍｍの厚みとなるようにする。なお、このとき、屋根の上の留め具も併せてゴム材で被覆してしまうことが好ましい。
【００３０】
次に、ゴムコーティング層１が折板屋根上に固着したら緑化材を吹き付け緑化層２を形成する（ステップＳ５）。厚みは特に限定されないがたとえば３ｃｍ程度とすることができる。なお、場合により、芝生のように緑化材もシート状にして、これを張りつめるようにしてもよい。
【００３１】
最後に足場を取り外し、作業を終了する（ステップＳ６）。屋根の大きさにもよるが、基本的にゴムコーティング層１と緑化層２とは吹き付けや貼り付けにより施工するので一日で当該作業を終了できる。
【００３２】
本発明により、メンテナンスフリーの簡便な屋上緑化を実現することができる。なお、コケは適宜繁殖していくが、薄くなったところに施工後胞子を吹き付けたり、緑化材を再度吹き付けたりするようにしても良い。
【産業上の利用可能性】
【００３３】
本発明によれば、折板屋根に限らず瓦棒葺き屋根であってもスレート葺き屋根であっても適用可能である。また、ＲＣ屋根や外壁にも適用することができる。図３は、瓦棒葺き屋根やスレート葺き屋根に本発明を適用した例を示した図である。
【符号の説明】
【００３４】
１        ゴムコーティング層
２        緑化層
【図１】
2011092114.tif 000003
【図２】
2011092114.tif 000004
【図３】
2011092114.tif 000005
【図４】
2011092114.tif 000006